(57)【特許請求の範囲】
【請求項１】
ＵＳＢポートに挿入ケースを差し込んでこれを塞ぎ、ＵＳＢポートの外枠の一面のスリットに挿入ケースに設けられたロック爪を係合させることによりロックして、ＵＳＢポートへのアクセスを阻止し情報の漏洩を防止するＵＳＢポートロック装置において、
両端に開口を有する略筒状のカバーケースと、
両端に開口を有し、前記カバーケース内に配置固定される外筒、一端に先端を楔形に形成されるロック解除部を有し、他端側に鍵孔を有し、前記外筒内に当該外筒の軸方向に移動可能に嵌挿される内筒、前記外筒及び前記内筒間に複数のピン孔が設けられて、前記外筒の各ピン孔に移動可能に配置されるとともにばね部材により前記内筒側に押圧付勢される複数のロックピン及び前記内筒の各ピン孔に移動可能に配置され、前記外筒の各ロックピンに弾性的に押圧される複数のドライバーピンを有してなり、常態として施錠状態で、前記鍵孔に専用の鍵を挿入することにより解錠されて、前記外筒内で前記内筒を当該外筒の一端方向に移動可能とする形式のシリンダー錠と、
前記シリンダー錠内に配置され、常態として、前記内筒を前記外筒の他端側に向けて押圧付勢し、前記内筒のロック解除部を前記外筒の一端開口内に押え保持するばね部材と、
両端に開口を有し、周面にＵＳＢポートの外枠の一面のスリットに対向して孔を有して、ＵＳＢポートに差し込み可能な略筒形形状をなし、前記カバーケースの一端開口に前記略筒形形状内を前記内筒のロック解除部が進退可能に連結されて当該一端開口から前記カバーケースの外部に突出される挿入ケース、及び前記挿入ケースの前記略筒形形状内で前記孔を有する面に沿って一端側から前記孔の位置まで延び、前記孔の位置で前記孔から前記挿入ケースの外部に突出されるロック爪を有する幅広のプレート、及び前記幅広のプレートの他端から前記挿入ケースの他端所定の位置まで延び、その端部に前記内筒の前記ロック解除部の先端楔形状に当接可能な傾斜面を有する幅狭のプレートを具備する板ばねからなり、前記挿入ケースの前記略筒形形状内に前記孔を有する面に沿って配置され、前記幅広のプレートの一端を前記挿入ケースの一端側に支持され、前記幅狭のプレート端部の前記傾斜面が前記ロック解除部先端の楔形状に沿って当接され、前記幅広のプレートの前記ロック爪が前記挿入ケースの前記孔から突出されるロック部材と、
を備え、
ＵＳＢポートに前記挿入ケースを差し込むことにより、ＵＳＢポートは前記挿入ケースにより閉塞されて、この状態がＵＳＢポートの外枠のスリットと前記挿入ケースの前記孔から突出される前記ロック爪との係合によりロックされ、当該ロック状態は常態として施錠状態の前記シリンダー錠により保持され、
ＵＳＢポートから前記挿入ケースを抜き取るときは、前記シリンダー錠の鍵孔に前記専用の鍵を挿入することにより前記シリンダー錠を解錠し、当該解錠の状態で、前記内筒を前記ばね部材の付勢力に抗して前記挿入ケース側に押し込むことにより、前記ロック解除部を前記挿入ケース内に押進させ、前記ロック解除部で前記ロック部材を前記ロック爪がＵＳＢポートのスリットから離れる方向に押圧変位させて、前記ロックを解除する、
ことを特徴とするＵＳＢポートロック装置。
【請求項２】
カバーケース、外筒及び内筒はそれぞれ偏平な角筒形状に形成され、全体が扁平の角形に形成される請求項１に記載のＵＳＢポートロック装置。
【発明の詳細な説明】
【技術分野】
【０００１】
本発明は、パソコンなどに設けられるＵＳＢ（Universal Serial Bus）ポート（差し込み口）に挿入ケースを差し込んでこれを塞ぎ、ＵＳＢポートの外枠のスリットに挿入ケースに設けられたロック爪を係合させることによりロックして、ＵＳＢポートへのアクセスを阻止し情報の漏洩を防止するＵＳＢポートロック装置に関する。
【背景技術】
【０００２】
今日、パソコンの普及が急速に進み、パソコン内部にはさまざまな情報が大量に記録、蓄積されており、他面で、これらの情報を盗み出すために、パソコンへの不正アクセス、情報漏洩があとを経たない現状である。
このパソコンへの不正アクセスの中でも、近年、問題になっているのが、ＵＳＢポートへのアクセスによる情報の漏洩である。ＵＳＢポートは、周知のとおり、ＵＳＢメモリなどの外部記憶装置を接続すれば、パソコン内部のデータを簡単にコピーすることができるので、ＵＳＢポートへのアクセスを阻止する措置が必要になっている。
【０００３】
そこで、ＵＳＢポートへのアクセスができないように、ＵＳＢポートに挿入ケースを差し込んでこれを塞ぎ、ＵＳＢポートの外枠の任意の面のスリットに挿入ケースに設けたロック爪を係合させることによりロックして、情報の漏洩を防止するようにしたＵＳＢポートロック装置（ＵＳＢロック機構及び解除機構）が特許文献１により提案されている。
【０００４】
この文献１のＵＳＢポートロック装置では、通常の規格として利用されるＵＳＢデバイス（オス端子）の形状と同じ外形を持った、開口を有する筺体（挿入ケース）を利用するものである。この開口を通じてＵＳＢロック機構はＵＳＢポートに差し込まれる。
通常の規格のＵＳＢポートのメス端子は、その（外枠）平面部に切り込み（スリットが形成されて押えばね）を持っており、筺体にはその場所に対応するように孔が設けられている。
筺体の素材は、現行のＵＳＢデバイス（オス端子）と同様に、差し込み部分は非鉄金属、手に持つ部分はプラスチックで良い。ただし本考案では電気的な接続を必要としないので全て非導電性材料でも良い。
そして、この孔と切り込みに設けられた隙間を利用して、ＵＳＢポートを塞ぎ、ロックする。すなわち、爪部が、孔から突出して設けられ、これが切り込みの隙間に噛み合うように位置しているので、ＵＳＢロック機構を挿入すると完全に噛み合い、抜けなくなる。
このような構造にするために、爪部は、爪部から筺体の開口のない端部へと連結させるガイド部と連結される。ＵＳＢロック機構が挿入されると、ガイド部は爪部が切り込みに設けられた隙間に入り込むまで僅かなしなりを持ちつつ位置を保持し、爪部が確実に隙間に食い込み噛み合うようにするものである。ガイド部の素材はプラスチックなど、性質上非導電性のものが好適である。
また、通常ＵＳＢデバイス（オス端子）の孔は、切り込みに合わせて、同じ平面上に２カ所設けられている。そのため爪部及びガイド部も、１つでもよいが各々２つ設けることが強度上好適である。なお、ＵＳＢポートの側面の切り込みを利用して、それに対応して孔と爪部を設置することも可能である。
このようにして、爪部とＵＳＢポートは完全に噛み合い、外すことができない。もし、力ずくで無理に外そうとすると、ＵＳＢポートやＵＳＢロック機構が破損してしまう。結果、ソフトウェア等を全く使用せずにポートをロックすることが可能である。
また、本考案のＵＳＢロック機構には、前記ガイド部に連結し、ロック解除部材を受けるロック解除受け部が設けられるものである。下記に示すように、ロック解除部材を受けて爪部を切り込みの隙間から外すためである。
このため、ＵＳＢポートの平面上２カ所の切り込みに対応して、爪部とガイド部を２カ所設けた場合には、ロック解除受け部は２つの前記ガイド部の間を繋ぐ板状で、開口のない端部へ向かって斜方向へ配置されることが好適である。
なお、爪部、ガイド部、ロック解除受け部は、上記したように、側面の切り込みを利用しても良いし、２カ所でなくてもよい。例えば、相対する側面の切り込み２カ所を利用して孔、爪部、ガイド部を各々２カ所設け、その２カ所のガイド部を繋いで連結し、ロック解除部材を受けるロック解除受け部を設けることが出来る。
さらに、ロック解除受け部は、ロック解除部材を受けて爪部を外すことが出来る限り、硬質素材でも弾性素材でも良く、その形状もロック解除部材の形状に応じて適宜変更することが出来る。
また、筺体には、前記筺体の開口のない端部面に、ロック解除部材の入り口となる薄膜と、ロック解除受け部方向への空洞が設けられている。
すなわち、一度ロックされたロックを外すためには、使用者は、ロック解除部材を、薄膜を破って空洞へ通し、さらに推し進め、ロック解除部材をロック解除受け部にあててガイド部を押し下げ又は押しのけて動かし、爪部を切り込みから外して、その上でロックを外すしかない。
そのため、薄膜は人がロック解除部材を適度な力で押せば破れる程度の強度及び素材であればよい。例えば薄いプラスチックなどである。
すなわち、ロックを外すためには薄膜を破らなければならず、外した履歴が一目瞭然に残ってしまう。このようにして、不正にアクセスがあったかどうかを、何らソフトウェアを使用することなく一見して容易に認識できるのである。なお、筺体にシリアルナンバーのような個別認識情報を付与しておけば、外した後別の筺体を着けたかどうかも容易に認識できる。
さらに、前記ロック機構とは別体に設けられるロックの解除機構は、前記開口に入るよう棒状又は板状の部材を含む。
また、薄膜を破り挿入し、ガイドを押し下げながら爪部を外す時に、ロック解除受け部に噛み合うように設けられた解除用凹部を有することが好適である。これにより、ロック解除受け部に解除用凹部を引っかけ、最も安全かつ容易にロック機構を引き抜くことが可能である。
以上の構成により、ソフトウェアを全く必要とせず、ＵＳＢポート自体へのアクセスを防ぎ情報漏洩を防止することが可能で、かつ安全に取外しが可能であるにも関わらず、不正なアクセスへの履歴を認知することが可能となった。
【先行技術文献】
【特許文献】
【０００５】
【特許文献１】実用新案登録第３１３５０４７号公報（段落０００９−段落００１８、図５−図７）
【発明の概要】
【発明が解決しようとする課題】
【０００６】
しかしながら、上記従来のＵＳＢポートロック装置（ロック機構及び解除機構）では、筺体の端部面にロック解除部材の入り口となる薄膜とロック解除受け部方向への空洞が設けられ、棒状又は板状の部材からなるロック解除部材を、この端部面の薄膜を破って空洞へ通し、さらに推し進めて、ロック解除部材をロック解除受け部にあててガイド部を押し下げ又は押しのけて動かし、爪部を（外枠平面部の）切り込み（スリット）から外すことにより、ロックを外すので、ロック解除部材そのものを使用しなくても、このロック解除部材に似た棒材や板材、すなわち、筐体の空洞に通しロック解除受け部にあててガイド部を押して操作できる程度のものであれば、ロックを解除されるおそれがあり、このため、信頼性の高いセキュリティが得られていない、という問題がある。
【０００７】
本発明は、このような従来の問題を解決するもので、この種のＵＳＢポートロック装置において、ＵＳＢポートを閉塞、ロックした後のロック解除を困難にして、信頼性の高いセキュリティを実現すること、を目的とする。
【課題を解決するための手段】
【０００８】
上記目的を達成するために、本発明のＵＳＢポートロック装置は、
ＵＳＢポートに挿入ケースを差し込んでこれを塞ぎ、ＵＳＢポートの外枠の一面のスリットに挿入ケースに設けられたロック爪を係合させることによりロックして、ＵＳＢポートへのアクセスを阻止し情報の漏洩を防止するＵＳＢポートロック装置において、
両端に開口を有する略筒状のカバーケースと、
両端に開口を有し、前記カバーケース内に配置固定される外筒、一端に先端を楔形に形成されるロック解除部を有し、他端側に鍵孔を有し、前記外筒内に当該外筒の軸方向に移動可能に嵌挿される内筒、前記外筒及び前記内筒間に複数のピン孔が設けられて、前記外筒の各ピン孔に移動可能に配置されるとともにばね部材により前記内筒側に押圧付勢される複数のロックピン及び前記内筒の各ピン孔に移動可能に配置され、前記外筒の各ロックピンに弾性的に押圧される複数のドライバーピンを有してなり、常態として施錠状態で、前記鍵孔に専用の鍵を挿入することにより解錠されて、前記外筒内で前記内筒を当該外筒の一端方向に移動可能とする形式のシリンダー錠と、
前記シリンダー錠内に配置され、常態として、前記内筒を前記外筒の他端側に向けて押圧付勢し、前記内筒のロック解除部を前記外筒の一端開口内に押え保持するばね部材と、
両端に開口を有し、周面にＵＳＢポートの外枠の一面のスリットに対向して孔を有して、ＵＳＢポートに差し込み可能な略筒形形状をなし、前記カバーケースの一端開口に前記略筒形形状内を前記内筒のロック解除部が進退可能に連結されて当該一端開口から前記カバーケースの外部に突出される挿入ケース、及び前記挿入ケースの前記略筒形形状内で前記孔を有する面に沿って一端側から前記孔の位置まで延び、前記孔の位置で前記孔から前記挿入ケースの外部に突出されるロック爪を有する幅広のプレート、及び前記幅広のプレートの他端から前記挿入ケースの他端所定の位置まで延び、その端部に前記内筒の前記ロック解除部の先端楔形状に当接可能な傾斜面を有する幅狭のプレートを具備する板ばねからなり、前記挿入ケースの前記略筒形形状内に前記孔を有する面に沿って配置され、前記幅広のプレートの一端を前記挿入ケースの一端側に支持され、前記幅狭のプレート端部の前記傾斜面が前記ロック解除部先端の楔形状に沿って当接され、前記幅広のプレートの前記ロック爪が前記挿入ケースの前記孔から突出されるロック部材と、
を備え、
ＵＳＢポートに前記挿入ケースを差し込むことにより、ＵＳＢポートは前記挿入ケースにより閉塞されて、この状態がＵＳＢポートの外枠のスリットと前記挿入ケースの前記孔から突出される前記ロック爪との係合によりロックされ、当該ロック状態は常態として施錠状態の前記シリンダー錠により保持され、
ＵＳＢポートから前記挿入ケースを抜き取るときは、前記シリンダー錠の鍵孔に前記専用の鍵を挿入することにより前記シリンダー錠を解錠し、当該解錠の状態で、前記内筒を前記ばね部材の付勢力に抗して前記挿入ケース側に押し込むことにより、前記ロック解除部を前記挿入ケース内に押進させ、前記ロック解除部で前記ロック部材を前記ロック爪がＵＳＢポートのスリットから離れる方向に押圧変位させて、前記ロックを解除する、
ことを要旨とする。
このＵＳＢポートロック装置は、カバーケース、外筒及び内筒がそれぞれ偏平な角筒形状に形成され、全体が扁平の角形に形成されることが好ましい。
【発明の効果】
【０００９】
本発明のＵＳＢポートロック装置では、上記の構成により、ＵＳＢポートに挿入ケースを差し込むことにより、ＵＳＢポートを挿入ケースにより閉塞して、この状態をＵＳＢポートの外枠のスリットと挿入ケースの孔から突出されるロック爪との係合によりロックし、このロック状態を常態として施錠状態のシリンダー錠により保持するので、ＵＳＢポートを閉塞、ロックした後のロック解除を困難にして、信頼性の高いセキュリティを実現することができ、ＵＳＢポートから挿入ケースを抜き取るときは、シリンダー錠の鍵孔に専用の鍵を挿入することによりシリンダー錠を解錠し、この解錠の状態で、内筒をばね部材の付勢力に抗して挿入ケース側に押し込むことにより、ロック解除部を挿入ケース内に押進させ、ロック解除部でロック部材をロック爪がＵＳＢポートのスリットから離れる方向に押圧変位させて、ロックを解除するので、鍵の管理者のみがＵＳＢポートのロックを容易に解除することができる、という本発明独自の格別な効果を奏する。
【図面の簡単な説明】
【００１０】
【図１】一般的なＵＳＢポートの構成を示す図（（ａ）は側面図（ｂ）は正面図）
【図２】本発明の一実施の形態におけるＵＳＢポートロック装置の構成を示す図（（ａ）は側面断面図（ｂ）は背面断面図）
【図３】同ＵＳＢポートロック装置の使用例（ＵＳＢポートをＵＳＢポートロック装置でロックする状態）を示す図（（ａ）は平面断面図（ｂ）は側面断面図）
【図４】同ＵＳＢポートロック装置の使用例（ＵＳＢポートのＵＳＢポートロック装置によるロックを解除する状態）を示す図（（ａ）は側面断面図（ｂ）は平面断面図（ｃ）は側面断面図）
【発明を実施するための形態】
【００１１】
次に、この発明を実施するための形態について図を用いて説明する。
図１に一般的なＵＳＢポートを示し、図２にＵＳＢポートロック装置を示している。
【００１２】
ここでまず、ＵＳＢポートについて説明する。
図１に示すように、ＵＳＢポートＰは、扁平の略角筒状をなす金属製の外枠９１と、この外枠９１内に配置されるプラスチック製の電極支持部材９４と、この電極支持部材９４に配置される複数本の電極（図示省略）とを備えて構成される。特に、外枠９１はばね鋼などにより、挿入口９０が長さ方向に広く幅方向に狭くなるように全体が扁平の略四角形の筒形形状に形成される。また、外枠９１の各面にはこのＵＳＢポートＰに挿入されるＵＳＢ端子（オス）を押えるための押えばね９３が内方に向けて突設される。この場合、２つの大きい面には２つの略Ｕ字形のスリット９２が並列に形成されて２つの略三角形の押えばね９３が並列配置され、小さい面には１つの略Ｕ字形のスリット９２が形成されて１つの略三角形の押えばね９３が配置される。これらの押えばね９３はそれぞれ、全体が内側に向けて湾曲又は折曲され、その先端が外側に向けて湾曲又は折曲されて、このＵＳＢポートＰに差し込まれたＵＳＢ端子（オス）を確実に押え保持し、また、このＵＳＢポートＰにＵＳＢ端子を容易に挿脱できるようになっている。
【００１３】
以下、ＵＳＢポートロック装置について説明する。
図２に示すように、ＵＳＢポートロック装置Ｌは、既述のＵＳＢポートＰに挿入ケース７を差し込んでこれを塞ぎ、ＵＳＢポートＰの外枠９１の一面のスリット９２に挿入ケース７に設けられたロック爪８１１を係合させることによりロックして、ＵＳＢポートＰへのアクセスを阻止し情報の漏洩を防止するもので、特に、このＵＳＢポートロック装置Ｌでは、カバーケース１と、シリンダー錠２と、ばね部材６と、挿入ケース７及びロック部材８とを備えて構成される。
また、このＵＳＢポートロック装置Ｌでは、ＵＳＢポートＰの外枠９１の一面、この場合、電極支持部材９４の電極が配置される面に対向する外枠９１の一面９１ｓ（以下、外枠９１の左側面９１ｓという。）に並列配置される２つのスリット９２に対応して挿入ケースに２つのロック爪８１１が設けられ、２つのスリット９２に２つのロック爪８１１を係合させてロックするようにしてある。
【００１４】
カバーケース１は、両端に開口１０を有する略筒状に形成される。この場合、カバーケース１は、ポリプロピレンにより、偏平の角筒形状に、さらに具体的に言えば、全体が縦に長い扁平の略四角形の筒形形状に形成され、両端の開口１０が長さ方向（縦方向）に広く幅方向（横方向）に狭い縦に長い扁平の四角形を呈している。また、この場合、一端の開口１０は全周に所定の幅を有するフランジ１１が形成されて、開口面積が他端の開口１０よりも少し小さくなっている。
【００１５】
シリンダー錠２は、両端に開口３１、３２を有し、カバーケース１内に配置固定される外筒３と、一端に先端を楔形に形成されるロック解除部４１を有し、他端側に鍵孔４０を有し、外筒３内にこの外筒３の軸方向に移動可能に嵌挿される内筒４と、外筒３及び内筒４間に複数のピン孔３３・４３が設けられて、外筒３の各ピン孔３３に移動可能に配置されるとともにばね部材３４により内筒４側に押圧付勢される複数のロックピン３５及び内筒４の各ピン孔４３に移動可能に配置され、外筒３の各ロックピン３５に弾性的に押圧される複数のドライバーピン４５とを有してなり、常態として施錠状態で、鍵孔４０に専用の鍵５（図４参照）を挿入することにより解錠されて、外筒３内で内筒４をこの外筒３の一端方向に移動可能とする形式になっている。
外筒３は、亜鉛合金ダイカストにより、カバーケース１内に嵌合可能に、このカバーケース１内の軸方向の長さと略同じ長さでカバーケース１内の中空断面よりも僅かに小さい大きさの、両端に開口３１、３２を有する偏平な角筒形状、この場合、扁平の略四角形の筒形形状に形成される。また、この外筒３の両端開口３１、３２間の中空部３６は、軸方向の長さが短く中空断面が大きい縦に長い四角形の一端側中空部３６１と、一端側中空部３６１に連接し軸方向の長さが一端側中空部３６１よりも長く、上部が一端側中空部３６１よりも少し肉厚で中空断面が一端側中空部３６１よりも少し小さい縦に長い四角形の中間中空部３６２と、中間中空部３６２に連接し軸方向の長さが一端側中空部３６１、中間中空部３６２を合わせた長さよりも少し長く、上部が中間中空部３６２よりも肉厚で中空断面が中間中空部３６２よりも小さい縦に長い四角形の他端側中空部３６３とからなる。このようにして一端側、中間、他端側の各中空部３６１、３６２、３６３の上部の肉厚の違いから、一端側中空部３６１の上部と中間中空部３６２の上部との間、中空空間部３６２と他端側中間部３６３との間にはそれぞれ、段差部３６４、３６５が形成され、また、他端側中空部３６３はこの外筒３の軸芯に対して偏芯した位置、この場合、軸芯よりも少し下方に偏芯した位置に形成される。ピン孔３３はこの外筒３の最も肉厚の他端側中空部３６３の上部に、軸方向に４箇所、軸方向に対して直角に外周面、内周面間を貫通して形成される。これらのピン孔３３にそれぞれ、有底筒状のロックピン３５がばね部材３４としてコイルスプリングを介装して内筒４のピン孔４３に移動可能に取り付けられる。また、この外筒３の左右両側面の一端、上下両側にそれぞれ、後述する挿入ケース７を連結固定するための取付穴３７が穿たれる。
内筒４は、亜鉛合金ダイカストにより、外筒３内の中空部３６に嵌挿可能に、外筒３の中空部３６の長さと同じ長さで、他端側中空部３６３の中空断面よりも僅かに小さい大きさの、両端に開口４０１、４０２を有する偏平な角筒形状、この場合、扁平の略四角形の筒形形状に形成される。また、この内筒４の一端側は略下半部が所定の長さだけ切り欠かれ、かつこの一端側の上半部の先端側（一端面）が楔形に形成されて、内筒４の一端にロック解除部４１が設けられる。この場合、ロック解除部４１先端の楔形形状はロック解除部４１の一方の側面（右側面）の前端（一端）から他方の側面（左側面）の前後方向中間部に向けて所定の角度の斜めに（平面視直角三角形状に）形成される（図３（ａ）参照）。そして、この内筒４の両端開口４０１、４０２間の中空部は、一端のロック解除部４１から他端にかけて下半部側が断面凸形に形成されて鍵孔４０をなす。ピン孔４３は、外筒３のピン孔３３に対応して、内筒４の上部で他端部側に軸方向に４箇所、軸方向に対して直角に外周面、内周面（鍵孔）間を貫通して形成される。これらのピン孔４３にそれぞれ、同径で長さの異なるドライバーピン４５が上下方向に移動可能に配置され、外筒３のロックピン３５により弾性的に押圧される。また、この内筒４の上部にはロック解除部４１の後部にロック解除部４１側、すなわち前部を開放されたコ字形の立ち上がり部からなるコイルスプリングのための受部４７が併せて形成される。この内筒４は外筒３の中空部３６内に挿入されて、受部４７が外筒３の中間中空部３６２の上部に配置されるとともに（受部４７の後部が）中間中空部３６２と他端側中空部３６３との間の段差部３６５に係合され、一端のロック解除部４１が外筒３の一端から出没可能に外筒３内を外筒３の軸方向に移動可能に組み込まれる。
鍵５は真鍮により形成され、ブレード５１とヘッド５２とからなり、ブレード５１縁部の凹凸形状が当然のことながらシリンダー錠２のキーコードに見合ったものになる。この場合、シリンダー錠２が長さの異なる４本のコードピン、４つの段差で構成されるので、４の４乗で、２５６種類の鍵違いが可能である。
また、この鍵５にはブレード５１の凹凸形状の基部に、鍵５をシリンダー錠２の鍵孔４０に挿入した際に、内筒４の他端面で鍵孔４０（開口４０２）の上部縁部にのみ衝接可能な高さと外筒３内で内筒４を所定距離だけ移動させるのに必要な長さを有する凸状係合部５３が併せて形成される。
シリンダー錠２はかかる構成からなり、一端に後述する挿入ケース７が取り付けられて、カバーケース１内に一体的に組み込まれる。
【００１６】
ばね部材６は、シリンダー錠２内に配置され、常態として、内筒４を外筒３の他端側に向けて押圧付勢し、内筒４のロック解除部４１を外筒３の一端開口３１内に押え保持する。この場合、ばね部材６にコイルスプリングが採用され、このコイルスプリング６がシリンダー錠２の内筒４上部の受部４７に軸方向に向けて配置され、後述する挿入ケース７により押え圧縮されて、内筒４を外筒３の他端側に向けて押圧付勢して、内筒４上部の受部４７の後部を中間中空部３６２と他端側中空部３６３との間の段差部３６５に圧接し、内筒４のロック解除部４１を外筒３の一端開口３１内に押え保持するようになっている。
【００１７】
挿入ケース７は、両端に開口７１、７２を有し、周面にＵＳＢポートＰの外枠９１の一面のスリット９２に対向して孔７３を有して、ＵＳＢポートＰに差し込み可能な略筒形形状をなし、カバーケース１の一端開口１０に挿入ケース７の筒形形状内を内筒４のロック解除部４１が進退可能に連結されてこの一端開口１０からカバーケース１の外部に突出される。この場合、挿入ケース７は鋼板により、一般に使用されるＵＳＢデバイス（オス端子）のコネクタの外枠の形状と略同じ扁平の略四角形の筒状に形成され、一端の開口７１が縦に長い扁平の四角形をなし、他端の開口７２が他端の上下方向中央で内筒４のロック解除部４１が挿通可能にロック解除部４１の断面形状と略同じ四角形をなす。なお、他端の開口７２の上下両側はプレートになっていて、この挿入ケース７がカバープレート１の一端開口１０内に連結されたときに上部のプレートでばね部材６が押えられる。この挿入ケース７のＵＳＢポートＰの外枠９１の左側面９１ｓに対応する右側面には外枠９１の左側面の各スリット９２（特に、スリット９２の中央部）に対応して２つの孔７３が形成される。各孔７３は四角形に形成される。また、この挿入ケース７の右側面の一端には後述するロック部材８を固定するための固定部７４が形成され、左右両側面の他端側にこの挿入ケース７をカバーケース１の一端開口内に連結固定するための取付穴７５が形成される。この場合、固定部７４は一対のＵ字形の突片７４１からなり、挿入ケース７の右側面の一端縁部に幅方向中心を対称中心としてその上下両側に突片７４１が対称的に形成され、それぞれ内向きに略Ｕ字形に折り返される。また、取付穴７５は挿入ケース７の左右両側面の他端側で幅方向中心を対称中心としてその上下両側に対称的に形成される。
ロック部材８は、挿入ケース７の筒形形状内に、孔７３を有する右側面に沿って配置され、一端が挿入ケース７の一端側に支持され、他端が孔７３を有する右側面とは反対の左側面方向にロック解除部４１先端の楔形状に沿って斜めに向けて延び、中間部に孔７３から突出してＵＳＢポートＰのスリット９２に係止可能なロック爪８１１を有する板ばねからなる。この場合、ロック部材８はステンレス鋼板により、挿入ケース７の筒形形状内で右側面に沿って一端から各孔７３の位置まで延び、各孔７３の位置で各孔７３から挿入ケース７の外部に突出される２つのロック爪８１１を有する幅広の角形プレート８１と、この角形プレート８１の各ロック爪８１１間から挿入ケース７の他端所定の位置まで延び、端部にロック解除部４１の先端楔形状に当接可能な傾斜面８２１を有する幅狭の角形プレート８２とからなる。このロック部材８は、幅広の角形プレート８１の一端が挿入ケース７の右側面一端の固定部７４、すなわち、一対のＵ字形の突片７４１内に挿入されてかしめ固定され、２つのロック爪８１１が挿入ケース７の右側面の各孔７３から外部に突出され、他端の傾斜面８２１が挿入ケース７の他端側で右側面から左側面に向けて斜めに延ばされる。
この挿入ケース７は他端側がシリンダー錠２の外筒３の一端開口３１内に配置され、外筒３の一端の各取付穴３７と挿入ケース７の一端の各取付穴７５間にピン７７が通されピン７７の両端がかしめられて、外筒３の一端に連結され、この挿入ケース７内でロック解除部４１が、ロック解除部４１の先端がロック部材の他端傾斜面８２１に接して、進退可能に配置される。そして、このように挿入ケース７を結合されたシリンダー錠２はカバーケース１内に一体的に組み込まれて、挿入ケース７がカバーケース１の一端開口１０から突出される。
【００１８】
このようにしてこのＵＳＢポートロック装置Ｌでは、ＵＳＢポートＰに挿入ケース７を差し込むことにより、ＵＳＢポートＰは挿入ケース７により閉塞され、この状態がＵＳＢポートＰの外枠９１の各スリット９２と挿入ケース７の各孔７３から突出される各ロック爪８１１との係合によりロックされ、このロック状態は常態として施錠状態のシリンダー錠２により保持される。そして、ＵＳＢポートＰから挿入ケース７を抜き取るときは、シリンダー錠２の鍵孔４０に専用の鍵５を挿入することによりシリンダー錠２を解錠し、この解錠の状態から、内筒４をばね部材６の付勢力に抗して挿入ケース７側に押し込むことにより、ロック解除部４１を挿入ケース７内で押進させ、このロック解除部４１でロック部材８の傾斜面８２１を各ロック爪８１１がＵＳＢポートＰの各スリット９２から離れる方向に押圧変位させて、ロックを解除する。
【００１９】
図３、図４にこのＵＳＢポートロック装置Ｌの使用例を示している。
このＵＳＢポートロック装置ＬでＵＳＢポートＰをロックするときは、図３に示すように、このＵＳＢポートロック装置Ｌのカバーケース１の部分を手に持ち、挿入ケース７をＵＳＢポートＰに差し込めばよく、挿入ケース７をＵＳＢポートＰに差し込むことにより、ＵＳＢポートＰは挿入ケース７により閉塞され、この状態がＵＳＢポートＰの外枠９１の２つのスリット９２（スリット９２の中央部）に挿入ケース７の２つの孔７３から突出される２つのロック爪８１１が係止（ロック）され、これらロック爪８１１のロック状態が常態として施錠状態のシリンダー錠２により保持される。すなわち、外筒３の４つのロックピン３５と内筒４の４つのピン孔４３との係合により、外筒３内で内筒４の挿入ケース７に向けた軸方向の移動を規制され、内筒４のロック解除部４１でロック部材８（の傾斜面８２１）を押すことができないため、各スリット９２と各ロック爪８１１との係合状態が保持される。
そして、ＵＳＢポートＰのロックを解除するときは、図４に示すように、このＵＳＢポートロック装置Ｌのシリンダー錠２の鍵孔４０に専用の鍵５を挿入することによりシリンダー錠２を解錠する。すなわち、専用の鍵５の挿入により、鍵５のブレード５１の凹凸形状に合わせて内筒４の各ピン孔４３の各ドライバーピン４５が押し上げられて、外筒３及び内筒４の各ピン孔３３、４３に配置されるロックピン３５とドライバーピン４５との境界合わせ面が外筒３と内筒４との境界のシェアライン上に一致して内筒４が外筒３内で挿入ケース７に向けて移動可能となり、これに続けて、鍵５の押操作により、鍵５の凸状係合部５３で内筒４の鍵孔４０の上縁部を押すことにより、外筒３内で内筒４を挿入ケース７に向けて押し込むと、外筒３内で内筒４１が挿入ケース７に向けて移動し、挿入ケース７内で内筒４一端のロック解除部４が押進されてロック部材８の傾斜面８２１を押し上げながらロック部材８と挿入ケース７の右側面との間に進入し、ロック部材８全体を挿入ケース７の左側面に向けて傾動する。これにより、各ロック爪８１１はＵＳＢポートＰの各スリット９２から抜け外れるとともに挿入ケース７右側面の各孔７３から挿入ケース７内部に没入され、各ロック爪８１１と各スリット９２との係合が解除される。このロック爪８１１のロック解除状態から、ＵＳＢポートロック装置Ｌをカバーケース１の部分を手に持ってＵＳＢポートＰから引き抜けば、ＵＳＢポートＰのロックが解除される。
【００２０】
以上説明したように、このＵＳＢポートロック装置Ｌによれば、ＵＳＢポートＰに挿入ケース７を差し込むことにより、ＵＳＢポートＰを挿入ケース７により閉塞して、この状態をＵＳＢポートＰの外枠９１の各スリット９２と挿入ケース７の各孔７３から突出される各ロック爪８１１との係合によりロックし、このロック状態を常態として施錠状態のシリンダー錠２により保持するので、ＵＳＢポートＰを閉塞、ロックした後のロック解除を困難にして、信頼性の高いセキュリティを実現することができる。そして、ＵＳＢポートＰから挿入ケース７を抜き取るときは、シリンダー錠２の鍵孔４０に専用の鍵５を挿入することによりシリンダー錠２を解錠し、この解錠の状態で、内筒４をばね部材６の付勢力に抗して挿入ケース７側に押し込むことにより、ロック解除部４１を挿入ケース７内に押進させ、ロック解除部４１でロック部材８を各ロック爪８１１がＵＳＢポートＰの各スリット９２から離れる方向に押圧変位させて、ロックを解除するので、鍵５の管理者のみがＵＳＢポートＰのロックを容易に解除することができる。
また、このＵＳＢポートロック装置Ｌでは、シリンダー錠２を内筒４の鍵孔４０に鍵５を挿入して解錠し、外筒３内の内筒４を鍵５で回転させる形式ではなく、軸方向に押し込む形式とし、カバーケース１、外筒３及び内筒４をそれぞれ偏平な角筒形状に形成して、装置全体を扁平の角形に形成したので、装置全体を可及的に薄厚にすることができ、パソコンの本体背面や側面にＵＳＢポートＰが２つ以上並列に設けられている場合でも、対応可能で、２つのＵＳＢポートＰを２つのＵＳＢポートロック装置Ｌでロックすることもでき、一方のＵＳＢポートＰのみを１つのＵＳＢポートロック装置Ｌで他方のＵＳＢポートＰの使用の邪魔にならないようにロックすることもできる。
さらに、このＵＳＢポートロック装置Ｌでは、シリンダー錠２は長さの異なる４本のコードピン、４つの段差で構成されるので、４の４乗で、２５６種類の鍵違いが可能であり、より信頼性の高いセキュリティを実現することができる。
【００２１】
なお、このＵＳＢポートロック装置Ｌでは、ＵＳＢポートＰの外枠９１の一面に並列配置される２つのスリット９２に対応して挿入ケース７に２つのロック爪８１１が設けられ、２つのスリット９２に２つのロック爪８１１を係合させてロックするようにしているが、ＵＳＢポートの外枠の一面に配置される１つのスリットに対応して挿入ケースに１つのロック爪が設けられ、１つのスリットに１つのロック爪を係合させてロックするようにしてもよい。このようにしても概ね同様の作用効果を得ることができる。
また、このＵＳＢポートロック装置Ｌでは、鍵違い数を２５６種類としたが、ピンの配列数を１本増やすごとに４乗ずつ増やすことができ、ピンの配列数を増やすことで、さらに信頼性の高いセキュリティを実現することが可能である。
【符号の説明】
【００２２】
Ｌ  ＵＳＢポートロック装置
１  カバーケース
１０  開口
１１  フランジ
２  シリンダー錠
３  外筒
３１  開口
３２  開口
３３  ピン孔
３４  ばね部材（コイルスプリング）
３５  ロックピン
３６  中空部
３６１  一端側中空部
３６２  中間中空部
３６３  他端側中空部
３６４  段差部
３６５  段差部
３７  取付穴
４  内筒
４０１  開口
４０２  開口
４０  鍵孔
４１  ロック解除部
４３  ピン孔
４５  ドライバーピン
４６  中空部
４７  受部
５  鍵
５１  ブレード
５２  ヘッド
５３  凸状係合部
６  ばね部材（コイルスプリング）
７  挿入ケース
７１  開口
７２  開口
７３  孔
７４  固定部
７４１  突片
７５  取付穴
７７  ピン
８  ロック部材
８１  幅広の角形プレート
８１１  ロック爪
８２  幅狭の角形プレート
８２１  傾斜面
Ｐ  ＵＳＢポート
９０  挿入口
９１  外枠
９１ｓ  外枠の左側面
９２  スリット
９３  押えばね
９４  電極支持部材
【図１】
0006713355.tif 000002
【図２】
0006713355.tif 000003
【図３】
0006713355.tif 000004
【図４】
0006713355.tif 000005